(57)【要約】【課題】ハンドル部から突出状に設けられたゴルフボールを押圧転動させる操作に伴い、ボール自体がバイブレーション効果を発揮するマッサージ器の機能実現を課題とする。【解決手段】開口部を備えたハンドル部に、ボールが開口部から突出されて転動自在に構成されたマッサージ器である。ハンドル部を握り皮膚部にボールを押圧転動した際に、ボールの表面に形成されたディンプルより小さい接触面積でディンプルに当接して、ボールを支軸し得るようにしたピボット部をハンドル内部に設けたマッサージ器に係り、ピボット部をコイルばねと剛球とを用いて構成した場合は一層好ましい効果が得られる。  即ち、本発明はボールのディンプルとピボットによる支軸作用で使用時の押圧転動に伴なってゴルフボール自体に振動を発生せしめ、電力を用いることなく、電動式バイブレータの如き振動効果をもたらし得るようにしたマッサージ器の提供を目的とする。【選択図】    図２
2008178631.tif 000002
【特許請求の範囲】
【請求項１】
表面に多数のディンプルを形成したボールと、
一端に開口部を有し、前記ボールの一部が突出するように該ボールを収納保持するハンドル部と、
前記ボールの転動時に、該ボールのディンプルより小さい接触面積で該ディンプルに当接し、
前記ボールが支軸されるように前記ハンドル内部に設けたピボット部とを具備し、
前記ハンドル部から突出した前記ボールが、前記ピボット部で支軸した状態で全方向に押圧転動されるように構成したことを特徴とするボールを用いたマッサージ器。
【請求項２】
前記ハンドル内部に設けた前記ピボット部は、
前記ボールのディンプルに当接して該ボールを支軸するための支軸部材と、
該支軸部材を弾発力で押圧するための弾発部材とを前記ハンドル内部に具備し、
前記ピボット部が弾発力を備えた状態で構成され、
前記ボールが前記ピボット部で支軸された構成を特徴とする請求項１に記載のボールを用いたマッサージ器。
【請求項３】
前記ボールにゴルフボールを用いたこと、
該ボールを支軸するための支軸部材に剛球を用いたこと、
該剛球を弾発力で押圧するための前記弾発部材に圧縮コイルばねを用いたこと、
前記剛球と前記圧縮コイルばねとを保持するための支軸筒を前記ハンドル内部に具備し、構成したことを特徴とする請求項２に記載のボールを用いたマッサージ器。
【発明の詳細な説明】
【技術分野】
【０００１】
本発明は、特に表面にディンプルが形成されたボール（例えば、ゴルフボール）を用いたマッサージ器に関するものである。
【背景技術】
【０００２】
従来より、肩凝りや凝った筋肉の部位にローラーやボール（球体）を転動させて凝りをほぐすように構成されたマッサージ器や指圧具が知られている。
本特許願の構成要素としては、特に、ボールの表面にディンプル（くぼみを）を形成したボールを用いることを前提としたマッサージ器に係り、表面にディンプルが形成されて普及している代表的なボールには、所謂ゴルフボールがある。従来、該ゴルフボールを利用した公知技術としては、例えば、舟底面状に加工された板でゴルフボールを支持して按摩具とする構成技術が、特許文献１に開示されている。
また、ケース体に収納したゴルフボールとコイルばねとを用いて弾発的に押圧した状態で、ゴルフボールを転動させるようにしたマッサージ器の公知技術は、例えば、特許文献２に示されている。
【特許文献１】実開昭６１−１５６９２６号公報
【特許文献２】実開平０４−００５８３６号公報
【発明の開示】
【発明が解決しようとする課題】
【０００３】
本発明の構成内容と係るゴルフボール（以下、本願ではゴルフボールを含めて表面にディンプルを形成したボールのことを単にボールと称して説明することもある）を用い、身体の皮膚部位に押圧転動させる構成のマッサージ器（以下、本発明に係るボールを用いたマッサージ器のことを単にマッサージ器と称して説明することもある）に関して、前記特許文献における公知技術の図面を図６、図７に示し、該引用図面を参照しつつ従来の開示技術におけるマッサージ器について先ず説明する。
【０００４】
図６は、前記特許文献１の実開昭６１−１５６９２６号公報から引用した斜視図である。この開示技術ではゴルフボール２を用い、該球面に合わせて舟底状に切欠加工した支持板５３、及びボール穴５５、頂板５４、底板５１、側板５２等を図示のように組合せてボール２を転動自在に構成した按摩具５０である。
その他、ケースに収納したボール２の球面を支軸して転動自在に構成したマッサージ器の公知技術は、実開平０７−００９３４４号公報等にも開示されている。
【０００５】
次に、図７は前記特許文献２の実開平０４−００５８３６号公報から引用したマッサージ器具６０に関する縦断面図である。本開示技術による図７では、ケース本体６１の支持具６５は図示のようにボール２に対して、端部が球面で接触されるようにした受座盤６６を設けて転動させるようにしたマッサージ器である。そして、本実施例では図示のようにケース本体６１と支持具６５が空洞状に形成された内部に、圧縮コイルばね６７（以下、圧縮コイルばねのことを単にコイルばねと称して説明することもある）が挿入されて、支持具６５が縦方向に摺動自在に構成された実施例が示されている。
従って、本実施例におけるコイルばね６７の弾発力は球面（面接触）状に加工された受座盤６６を介し、ボール２を常時マッサージ器具６０の開口部側に弾発力で押圧して転動させる構成である。しかし、該コイルばね６７の弾発力は指圧効果には寄与するが、直接マッサージ機能を高める作用効果をもたらすものではない。
【０００６】
前記したように、従来の特許文献におけるマッサージ器では、ケース部に収納されたゴルフボールを転動自在とするために、全ての公知技術がボール球面（面接触）を支軸して転動させる構成であり、ケース部から突出したボールを皮膚部へ単に押圧転動させることを目的としているため、十分なマッサージ効果が発揮されないものであった。
即ち、従来の公知技術に基づくマッサージ器構成では、ゴルフボールの表面に形成された折角のディンプルの効果が十分発揮し得ないマッサージ器や按摩具であった。本発明は前記公知技術における欠点を解決するためのものである。
【０００７】
そこで、本発明に基づくマッサージ器は、例えば、ゴルフボールのようにボールの表面に多数のディンプルを形成したボールを用い、該ディンプルの効果を最大限に発揮し得るようにしたものである。
即ち、表面にディンプルが形成されたボールの皮膚部への押圧転動に伴ない、ボール自体を振動させる構成とし、電力を用いることなく、従来の電動式バイブレータ機能の如き振動効果をもたらし得るようにしたマッサージ器の提供を目的とするものである。
【課題を解決するための手段】
【０００８】
前記課題を解決するために、本発明に係るマッサージ器は次のように構成される。
第１発明のマッサージ器は、表面に多数のディンプルを形成したボールと、一端に開口部を有して前記ボールの一部が突出するように該ボールを収納保持するハンドル部と、該ハンドル部に収納保持した前記ボールの転動時に該ボールのディンプルより小さい接触面積で該ディンプルに当接して、前記ボールが支軸されるように前記ハンドル内部に設けたピボット部とを具備して構成される。
即ち、前記ハンドル部から突出した前記ボールが、前記ピボット部で支軸した状態で全方向に押圧転動されるように構成したボールを用いたマッサージ器である。
【０００９】
第２発明のマッサージ器は、前記第１発明のマッサージ器において前記ハンドル内部に設けた前記ピボット部は、前記ボールのディンプルに当接して該ボールを支軸するための支軸部材と、該支軸部材を弾発力で押圧するための弾発部材とを前記ハンドル内部に具備して前記ピボット部が弾発力を備えた状態で構成され、そして前記ボールが前記ピボット部で支軸されて構成したボールを用いたマッサージ器である。
【００１０】
第３発明のマッサージ器は、前記２発明のマッサージ器において前記ボールにゴルフボールを用い、該ボールを支軸するための支軸部材に剛球を用いると共に、該剛球を弾発力で押圧するための前記弾発部材に圧縮コイルばねを用い、更に前記剛球と圧縮コイルばねとを保持するための支軸筒を前記ハンドル内部に具備して構成したボールを用いたマッサージ器である。
【発明の効果】
【００１１】
前記したように、表面にディンプルが形成されて広く普及しているボールにはゴルフボールがある。従って、本発明は近年著しく普及している該ゴルフボールを用いて実施した場合は生産コスト上からも大いに有利であり、本願の具体的実施例としてゴルフボールを用いた場合につて以下説明する。
ゴルフボールの表面には、空気抵抗を減らして飛距離を延ばす目的から、所謂、ディンプルと称する多数のくぼみが形成されている。本発明は該ディンプルの活用により適材適所的に、ゴルフボールを用いることで好適なマッサージ器を構成することができる。即ち、該ボールの一部がハンドル部の開口部から突出するように収納保持し、該突出したボールを皮膚部の押圧転動させる操作に伴い、該ボールが振動するように構成したマッサージ器である。
前記構成により、ボールを凝った筋肉の皮膚部に押圧転動することで、電力を用いることなく、ボール自体を振動させることでマッサージ機能効果が高められると共に、心地よい指圧効果も発揮されて凝りをほぐし、血行をよくするマッサージ器が実現可能となる。
【００１２】
本発明に係る第１実施例のマッサージ器によれば、上記発明目的を達成するため、ハンドル部に収納保持されたボールを押圧転動した際に該表面に形成されたディンプルより小さい接触面積でディンプルに当接し、ボールを支軸転動させるためのピボット部をハンドル内部に具備して構成される。
従って、前記構成によりハンドル部から突出したボールを皮膚部に押圧転動した際に、ボール表面に形成された順次のディンプルがピボット部に当接支軸されて転動する構成とした結果、ボールの転動に伴なって、ディンプルとピボット部の支軸作用でディンプルの深さ（Δｄ）振幅でボール自体が振動を発生することになり、マッサージ効果や指圧効果が十分発揮されるマッサージ器が実現される（図１参照）。
【００１３】
本発明に係る第２実施例の最良の実施形態のマッサージ器によれば、ハンドル部に収納されたボールを皮膚部に押圧転動した際に、順次のディンプルと当接されるようにしたピボット部が、以下のように構成される。
ディンプルに当接される支軸部材に剛球（直径：数ｍｍのスチールボール等）又は凸状支軸部材を用い、更に、支軸部材を弾発力で押圧するためのコイルばねを用いると共に、それらをハンドル内部に立設した支軸筒に保持し、ピボット部に弾発力を備えるように構成した実施例である。
なお、本実施例ではコイルばねの弾発力で常時ピボット部を押圧し、ディンプルに支軸部材を当接追随させる構成とされ、振動効果が一層高められると共に、ばねの緩衝作用によって振動に伴う機械的衝撃音が吸収される利点もある。
【００１４】
ピボット部が上記構成とされた第２実施例では、ハンドル部から突出したボールが、弾発力を備えたピボット部に支軸されてｄ（略４ｍｍ）のストローク範囲にわたって、ばね圧力が作用する。従って、ボールを皮膚部に押圧転動させる使用態様では、前記第１実施例と同様にΔｄ振幅でバイブレーション（振動）されることに加え、前記ボールがｄ（Δｄ＜ｄ…Δｄはディンプルの深さ）のストローク範囲にわたり、ばね弾力でクッション効果をも発揮するようにした構成である。
即ち、上記ボール自体の好適な振動効果と共に、ばね弾力による良好な指圧効果が発揮される構成であり、両者の相乗効果からマッサージや指圧に伴なう機能効果が一層高められるマッサージ器が実現可能となる（図２参照）。
【００１５】
本発明に係る第３実施例の実施形態のマッサージ器によれば、ハンドル部に収納されたボールのディンプルに当接し、ボールを転動支軸するためのピボット部の支軸部材を押圧する弾発部材に、薄ばね板や円錐形ばねを用いて構成した実施例であり、前記第２実施例に記載した特徴を備えたマッサージ器を薄型のコンパクトタイプとして構成できる（図３参照）。
【００１６】
本発明に係る第４実施例の応用実施形態のマッサージ器によれば、本発明で構成されたマッサージ器を、例えば、背中掻き用の所謂孫の手や肩叩き等と併用した場合も発明の効果を如何なく発揮させることができる（図４参照）。
更に、本発明に係る第５実施例の他の応用実施形態のマッサージ器によれば、本発明で構成したマッサージ器の複数個を縦横に配列し、例えば、足裏マッサージ器等に流用した場合にも前記各実施例で記述した発明効果が発揮される（図５参照）。
前記したように、本発明に係るマッサージ器はボール表面に形成されたディンプルの活用により、該使用時に皮膚部へのボールの押圧転動に伴なってボール自体を振動させ、電力を用いることなく、従来の電動式バイブレータの如き振動効果をもたらすようにした画期的発明に係るマッサージ器であり、発明の精神を逸脱しない範囲において、外観や構成を変形して応用した場合にも発明の効果が発揮される。
【発明を実施するための最良の形態】
【００１７】
前記したように本発明に係るマッサージ器は、例えば、ゴルフボールのように該表面に形成されたディンプルを活用したものであり、先ず、構成部品の具体的実施例として用いる公認ゴルフボールに関する規格の一部について参考記載することにする。ゴルフボールは本発明に用いる構成部品として、大きさ、重量、形成されたディンプルや加工素材を含めて最適である。
図１以下に外観や断面図を示すボール２は、因みに、直径Ｄ：４２．６７ｍｍ（１．６８インチ）以上、重さ：４５．９３ｇ（１．６２オンス）以下等と公認球としての諸規格が規定されており、構造的にはツーピース型やスリーピース型等の種類がある。
【００１８】
さて、ボールには空気抵抗を軽減し、揚力を高めて飛距離を伸ばす等の目的から本発明が活用を図ろうとする所謂、ディンプルと称する多数の円形状のくぼみがボール表面に形成され、該ディンプルのパターン配列には８面体、１２面体、２０面体等がある。
図１以下に示すゴルフボールのディンプル７は、数量や大きさ等はメーカや種類によって各種あるが、普及しているゴルフボールのディンプル数は３００〜５００個、図１（ａ）に示すディンプル直径Ｒ１：２．５〜３．５ｍｍ、該深さΔｄ：０．２４〜０．３５に形成され、また、断面形状は図示のような球面形が一般的であるが近年は平底形に形成されたものもある。
さて、本明細書では構成内容を理解し易くするために同一構成や同一作用をする要素部分には同一符号や同一名称を図面に付し、以下具体的実施例を図面と共に説明する。
【実施例１】
【００１９】
本発明にゴルフボールを用いたマッサージ器の動作原理について、先ず説明する。
本マッサージ器に関する発明の構成要点は、以下の原理説明によって十分明らかになる。図１（ａ）〜図１（ｈ）の各図は第１実施例の各構成部品、組立体、ピボット部及び使用態様の断面図等を夫々示し、以下、各図面を同時参照しつつ説明する。図１（ａ）はボール２に形成されたディンプル７の一部分を拡大した平面図及び、下側から見たＡ−Ａ線の断面図を示す。
また、図１（ｂ）は第１実施例における凸状支軸部材１５で加工したピボット部５がディンプル７に対して該ディンプルより小さい接触面積で当接し、ボール２がピボット部５で支軸される状況を示しており、本発明に係るマッサージ器の基本作動原理を拡大図解した断面図である。そこで、図１（ｂ）に拡大図示するピボット部５を凸状支軸部材１５とした実施例では該先端部の半径ｒを数ｍｍで半球面加工し、直径Ｒ１の円形のくぼみで形成したディンプル７に対し、先端当接部がディンプル７より十分小さい接触面積でゴルフボール２のディンプル７に当接されるようにピボット部５が形成加工されている。
【００２０】
図１（ｃ）〜図１（ｅ）の各図では、図示のように凸状支軸部材１５をハンドル部３の中央底部６に立設加工し、ピボット部５をハンドル部３と一体構成した実施例である。
図１（ｄ）のように組立てられマッサージ器１は、該Ｂ−Ｂ線断面を図１（ｅ）に示すようにハンドル部３に収納したボール２は、上下方向に略１ｍｍの遊びガタｄ１を有している。今、図１（ｂ）においてボール２を実線の対応位置から。例えば、直径Ｒ１のディンプル７を凸状支軸部材１５に対して矢印方向にＲ１／２だけ転動した場合は、ディンプル７が破線の対応位置に移動される。即ち、ボール２の転動に伴なって該ボール２は矢印の上方向にディンプル７の深さ（高さ）Δｄだけ移動されることになる。
従って、ボール２を図１（ｄ）のようにハンドル部３に収納保持した態様で連続的に転動させた場合は、ボール２自体が前記Δｄの振幅で振動される状況は以上の原理説明から明らかに理解されたものと思われる。本発明のマッサージ器１は前記作動原理に基づいたものであり、前記構成要点の説明によって本発明は既に十分理解し得たものと思われる。
【００２１】
本発明に係る第１実施例のマッサージ器１について、更に説明する。
図１（ｃ）は第１実施例の構成部品を縦方向に配置して示す。先ず、構成要素のハンドル部３や押えリング４は、例えば、ＡＢＳ樹脂素材等を用いて透明又は内部構造が透けて見える程度の半透明に着色して用いると外観意匠的にも見映えがよく、且つ、ハンドル部３の内部構造が観察できて遊具的価値も高められる。
そこで、本願の各実施例の図面の斜視図では内部構造が透けて見える状態とし、ハンドル部３の内部を実線で図示（一部細線）して説明する。図１（ｄ）は図１（ｃ）に示した構成部品で組立てられたマッサージ器１の外観を示し、図１（ｅ）は図１（ｄ）におけるＢ−Ｂ線の断面図である。
【００２２】
以下、図１（ｃ）〜図１（ｅ）を同時参照しつつ説明する。
先ず、図１（ｃ）に示すハンドル部３は握り易くした形体として、押えリング４と共にＡＢＳ樹脂等で成形加工され、該開口部には前記した直径Ｄが略φ４３のボール２を挿入した際に、図１（ｂ）と共に前記したような状態でボール２を転動支軸し得るようにしたピボット部５の凸状支軸部材１５が、所定の高さ寸法で底部６中央から立設されてハンドル部３と一体成形されている。
因みに、本実施例におけるハンドル部３の要部寸法を記載すると、開口部１２の内径Ｒ２：φ４４ｍｍ、支持部の内径Ｒ３：φ４０、押えリング４の上端部内径Ｒ４：φ４１の寸法とされ、ハンドル部３を直立した状態でのボール２は該支持部内径Ｒ３の一部に摺接されてピボット部５に支軸される関係寸法で成形加工されている。ハンドル部３にボール２を収納して押えリング４を嵌合部１１に固着組立したマッサージ器１の外観斜視図が図１（ｄ）であり、図１（ｅ）は該Ｂ−Ｂ線の断面図である。
なお、図１（ｅ）の断面図に示すようにマッサージ器１に組立てられた状態で、ボール２は上下（ｄ１）及び、横方向に１ｍｍ弱の遊びガタを有するように設計され、前記寸法諸元によりハンドル部３に図１（ｄ）のようにピボット支軸されたゴルフボール２は前後左右の全方向に円滑に振動しつつ転動される。
【００２３】
第１実施例のマッサージ器１に関して、図面に基づいて更に説明を続ける。
図１（ｆ）はピボット部５の他実施例における構成部品と組立て後のＣ−Ｃ線断面図を示す。前記実施例におけるピボット部５はハンドル部３と一体で成形加工された実施例であったが、図１（ｆ）のピボット部５は図示のようにハンドル部３の底部６中央から立設した軸棒３２の先端部に半球穴１９を加工し、該半球穴１９に直径：φ３〜φ９の例えば、剛球１４を支軸部材としたピボット部５がＣ−Ｃ線断面図のような構成の実施例である。
前記実施例のように、例えば、ＡＢＳ樹脂でピボット部５を一体成形した際に長期の押圧転動によってピボット部５の凸状支軸部材１５に磨耗の恐れがある場合は、図１（ｆ）の実施例のように支軸部材に剛球１４等を用いるとボール２の押圧転動時の滑りが改善され、且つ、磨耗課題も一挙に解消される利点がある。なお、軸棒３２や前記凸状支軸部材１５は成形の都合で空洞状にしてもよい。また、ゴルフボール２を用いて本発明を実施する場合は、押えリング４をねじ込み式や嵌め合せ式として、ボールを使用者の好みに応じた交換式にすることもできる。
【００２４】
次に、図１（ｇ）は皮膚部８にマッサージ器１を押圧転動させた使用態様の断面図を示す。作動原理として前記したようにマッサージ器１を図１（ｇ）の使用態様で皮膚部８に押圧転動した際は、ボール２自体が上下方向にΔｄで振動されることになり、マッサージ効果や指圧効果が高められる。
本発明マッサージ器１の使用時の態様と併せ、実施上の改良点について参考補足説明する。図１（ｈ）は図１（ｇ）の使用態様における端部を拡大図示したもので、図１（ｈ）において押えリング４の端部を点線で示すようにナイフエッジ状３０に成形加工した場合は、ボール２とナイフエッジ状３０の間隙部に皮膚部８が巻き込まれて皮膚を痛める恐れがあった。従って、本発明では押えリング４の端部を図１（ｈ）に実線で示すように内側に曲折加工９して良好に課題解消を図って実施している。
【実施例２】
【００２５】
次に、本発明に係るマッサージ器の第２実施例について図２の各図と共に説明する。
前記第１実施例の詳細説明によって本発明の構成内容や発明要点は十分理解されたものと思われるので、図２以下に示す第２実施例以降の説明では重複説明を省略し、実施例の異なる要点部分に関して簡潔に記述する。
第２実施例は、図２の各図に図示するように特に圧縮コイルばね１３を用いると共に、支軸部材に剛球１４や凸状支軸部材１５を用いることに関連してそれらを保持すための支軸筒を前記ハンドル内部に備え、ピボット部５を構成するようにした実施例である。即ち、図２（ａ）〜図２（ｆ）の各図は第２実施例の各構成部品、組立体、使用態様及びピボット部や作動原理の断面図等を各々示している。
【００２６】
以下、第２実施例の図２（ａ）〜図２（ｆ）の各図について同時関連的に説明する。
先ず、図２（ａ）は第２実施例の構成部品を組立て順に縦方向に配置して示している。
第２実施例におけるハンドル部３は、握りにフィットするように周面部の４ヶ所で、高さ方向にくぼみ部が形成してあり、開口部１２や押えリング４等の要部寸法等は前記第１実施例の図１と同様に形成してある。
そして、本第２実施例は図２のようにハンドル内部にコイルばね１３と支軸部材の剛球１４とを挿入保持させる支軸筒１０を底部６中央から立設し、ボール２がばね弾力を備えたピボット部５で支軸されるようにした構成である。
図２（ｂ）は図２（ａ）の各構成部品で組立てられた第２実施例のマッサージ器１の斜視図であり、図２（ｃ）は図２（ｂ）のＥ−Ｅ線における断面図を示している。
【００２７】
さて、本第２実施例では図２（ｃ）の断面図に示すように図２（ａ）の構成各部が組立てられた状態でボール２が、図示の寸法ｄを略４ｍｍに設定して該ストローク範囲のわたり、矢印の上下方向に弾発力が作用して指圧効果が発揮されるように実施している。
なお、第２実施例では図２（ｂ）のようにマッサージ器１を直立させた状態では、剛球１４にコイルばね１３の弾発力が作用しない支軸高さ寸法にピボット部５の位置関係を予め設定し、非押圧時のボール２が円滑転動されるように構成している。
【００２８】
第２実施例のマッサージ器に関して、更に、図面を参照しつつ説明を続ける。
図２（ｄ）は第２実施例のハンドル部３を握ってゴルフボール２を皮膚部８に押圧転動させた際の使用態様を示している。ボール２は押圧転動に伴なって矢印方向に前記第１実施例と同様Δｄ（Δｄ＜ｄ…Δｄはディンプルの深さ）振幅でバイブレーション（振動）されるが、本第２実施例ではピボット部５の剛球１４がコイルばね１３で常時押圧されて振動効果が一層高められると共に、ばねの緩衝作用で振動に伴う機械的衝撃音が吸収される利点もある。
【００２９】
図２（ｅ）は第２実施例の動作態様のピボット部５とディンプル７の対応関係を拡大して示した断面図（前記図１とは逆配置の関係で図示）である。本実施例の支軸筒１０は高さＨの範囲にわたり、例えば、剛球１４にφ６のスチールボールを用いて円滑に摺動されるように支軸筒１０の内径Ｒ２穴が加工されている。因みに、第２実施例におけるコイルばね１３は外径：φ５.５ｍｍ、線径：φ０.９、自由長：１０のものを用い、支軸筒の高さＨ：１２とした設計内容で好適な結果を得ている。
次に、図２（ｆ）はピボット部５の他の変形実施例に関する拡大断面図を示す。本構成のピボット部５では、凸状支軸部材１５としてスチール製や耐磨耗性のジュラコン樹脂等を用いて図示のような断面形状の凸状支軸部材１５に加工して用い、コイルばね１３を支軸筒１０の外側に係合させたピボット部５の他の構成実施例であり、支軸部材として剛球１４を用いた場合同様に目的が果せる。
【実施例３】
【００３０】
図３は本発明に係るマッサージ器の第３実施例を示す。
図３（ａ）は組立られたマッサージ器１の第３実施例の斜視図を示し、図３（ｂ）は第３実施例におけるピボット部５の他の構成例を示したものである。即ち、第３実施例はボール２が弾発的に軸支構成されて前記第２実施例のような効果の特徴を備えたマッサージ器１を薄型として実現するため、弾発部材として薄板バネ１６や円錐形ばね１８を用いて構成した実施例である。
図３（ｂ）は、例えば、薄板ばね１６に薄手のステンレスやリン青銅板等を用いてボール受穴１７を加工し、図示の形体に打抜き加工した薄ばね板である。図３（ａ）は該ピボット部５をハンドル部３の底部６に固着構成したもので、前記第２実施例と共に記載したような特徴を備えたマッサージ器１を構成し得る。
また、薄板ばね１６の代わりに円錐形ばね１８を用い、更に、図３（ｂ）に示すように支軸部材として凸状支軸部材１５を用いてピボット部５を構成した場合にも同様に目的が果せることは、前記各実施例の説明から既に明らかであり、更には、スチール製ばねの代りに弾力性ゴム材を用いてもよい。
【実施例４】
【００３１】
本発明に係るマッサージ器の第４実施例について説明する。
図４は本発明のマッサージ器を応用した第４実施例の変形例を示す。例えば、図４（ａ）
に示すボール２には、前記図１〜図３を参照しつつ説明した各実施例のボール２に対して、身体の患部に接触させて用いた場合に肩凝りや血行を改善し、健康によい効果をもたらす素材として医療機器等としても認定されている、所謂、永久磁石片やゲルマニウム（Ｇｅ）チップ２８等を用い、ボール２に対して図４（ａ）に示すように、複数ケ所に埋設２９して用いることでマッサージ器としての相乗効果を一層高め得るようにした実施例である。
【００３２】
更に、図４（ｂ）は背中掻き用の爪部２１を備え、所謂、孫の手２０として知られている握手部２２の他端側に図示のような構成で、例えば、前記図３に示した第３実施例のマッサージ器１を図４（ｂ）のように固着２３し、孫の手と併用し得るようにしたものである。即ち、孫の手２０の活用と共に手の届かない背中等に延長してマッサージや指圧に用い得るように利便性を図った本発明のマッサージ器１の応用実施例である。
【実施例５】
【００３３】
本発明に係るマッサージ器の第５実施例について説明する。
図５は本発明のマッサージ器を応用した第５実施例の足裏マッサージ器２５である。この応用実施例による構成の外観斜視図を図５（ａ）に示し、足裏マッサージ器２５の一部Ｆ−Ｆ線の断面図を図５（ｂ）に示す。
図５（ｂ）の断面図に示すように台座３１に対して個々のボール２が、例えば、前記図２の第２実施例のような支軸筒１０、コイルばね１３、剛球１４を備えて前記実施例と同様に構成されたマッサージ器単体が図５（ａ）に示すように縦横に複数個ずつ並べて配置されており、例えば、図５（ａ）の実施例では４列×５個＝２０個を用い、図示のようにボール２の保持穴が形成された上蓋２６をセットスクリュー２７で固定して構成した足裏マッサージ器２５である。
【００３４】
以上に詳述した３つの実施例で示したボールを用いたマッサージ器の発明は、例えば、前記図５のように複数個のボール２を足裏の皮膚部に押圧転動させるようにして、足裏マッサージ器や背中マッサージ器として応用した場合も、本発明が特徴とする前記振動効果が如何なく発揮されるのであり、足裏や背中用のマッサージ器及び指圧具として前記した優れた効果を奏し得るものである。
また、前記図５にように構成したマッサージ器は、椅子、座椅子の背もたれ用として構成することもできる。また、図５（ｂ）の断面図に示した個別のコイルばね１３の代りに一枚の薄い板ばねを用いて、前後左右方向に連なる連続した弾発部材に形成加工して用いると生産コスト的にも有利である。
【００３５】
そして、本発明に用いるボールはゴルフプレーで使用済みの所謂、ロストボールを再生（無地に塗装）して用いた場合は資源復活の再利用への寄与と共に、生産のコストダウンを図ることができる。
一方、ボールはゴルフボールに限ることなく、本発明のマッサージ器に用いるボールは、例えば、全体を無垢の樹脂素材により表面にディンプルを形成加工した専用ボールを生産して用いた場合にも、一層良好に目的が果せることは勿論である。
【図面の簡単な説明】
【００３６】
【図１】本発明第１実施例に係るマッサージ器の各構成部品の拡大図、組立図、使用時の断面図状況等を示す図である。
【図２】本発明第２実施例に係るマッサージ器の各構成部品、組立図、使用時の断面状況、主要部断面図等を示す図である。
【図３】本発明第３実施例に係るマッサージ器の斜視図、主要部の構成部品を示す図である。
【図４】本発明第４実施例に係るマッサージ器の斜視図、主要部の構成部品を示す図である。
【図５】本発明第５実施例に係るマッサージ器の斜視図、断面図を示す図である。
【図６】特許文献１の実開昭６１−１５６９２６号公報から引用した公知技術である。
【図７】特許文献２の実開平０４−００５８３６号公報から引用した公知技術である。
【符号の説明】
【００３７】
１      マッサージ器
２      ボール（実施例はゴルフボール）
３      ハンドル部
５      ピボット部
６      底部
７      ディンプル（くぼみ）
８      皮膚部
１０    支軸筒
１２    開口部
１３    圧縮コイルばね
１４    剛球（スチールボール）
１５    凸状支軸部材
【図１】
2008178631.tif 000003
【図２】
2008178631.tif 000004
【図３】
2008178631.tif 000005
【図４】
2008178631.tif 000006
【図５】
2008178631.tif 000007
【図６】
2008178631.tif 000008
【図７】
2008178631.tif 000009